(57)【特許請求の範囲】
【請求項１】
ケースと、このケースの開放側に取付けられた蓋体と、前記ケースに一端を軸支し、他端を前記蓋体に挿通して回転可能な操作軸と、前記ケースの開放端に、前記蓋体と対向して設けられた取付板とを備え、モーターを前記操作軸と並設するように前記蓋体の内側面に取付け、前記操作軸と前記モーターのモーター軸とを前記蓋体の外側に突出させて、前記モーター軸の回転と前記操作軸の回転とをギヤを介して互いに伝達させるとともに、前記取付板に前記操作軸の回転に合わせて出力値を調整させた回転型電子部品を位置決め固定し、該回転型電子部品の回転体に前記操作軸の他端を軸支して取付けたことを特徴とするモーター駆動付回転型電子機器。
【請求項２】
前記ケースの外壁部に切り込み部を設けて、該切り込み部の縁部に前記蓋体の舌片を当接させるとともに、該舌片を前記取付板で押え込んで保持したことを特徴とする請求項１記載のモーター駆動付回転型電子機器。
【請求項３】
軸受け部を有するケースと、このケースの開放側から、前記軸受け部に一端を嵌入した回転可能な操作軸と、モーター軸を備えたモーターを一体に取付し、中央部に孔部を有する蓋体と、前記ケースの開放側に該蓋体を取付け、前記ケース内で、前記軸受け部と前記孔部間に前記操作軸を回動可能に軸支し、この操作軸に前記モーターを並設し、前記蓋体から外方に突き出た前記モーター軸に取付けられた星型ギヤと前記操作軸に取付けられた内歯ギヤとを噛み合い係合し、さらに、前記操作軸に回転型電子部品を結合してなり、前記モーターの前記モーター軸の回転に対応して、前記星型ギヤを介して回転する内歯ギヤにより前記操作軸を回転し、前記回転型電子部品を駆動するようにしたことを特徴とするモーター駆動付回転型電子機器。
【発明の詳細な説明】
【０００１】
【発明の属する技術分野】
本発明は、音響機器等に用いられるモーター駆動及び手動操作可能な遠隔操作に適したモーター駆動付回転型電子機器に関し、特に可変抵抗器のモーター駆動に最適な機器であるモーター駆動可変抵抗器に関する。
【０００２】
【従来の技術】
従来のモーター駆動可変抵抗器１１０は、図１３に示すように、回転可能なモーター軸１１２ａを備えたモーター１１２と、このモーター１１２をリモートコントロールによりオン・オフ制御するモーター制御回路１１１と、モーター１１２のモーター軸１１２ａに取付けられた小ギヤ１１２ｂと、この小ギヤ１１２ｂと噛み合い、回転可能なギヤ部１１３と、このギヤ部１１３の軸として機能し、一方に操作軸１１８ａを、他方に放射状に形成された複数の溝部１１７を有する円板体１１８と、この溝部１１７に圧接して、その溝部１１７の面に係合した弾性をもったスプリング１２０を一端に取付けた操作軸１１４ａを有する可変抵抗器１１４と、この操作軸１１４ａの他端に取付けたつまみ１１６とから構成されている。
【０００３】
このように構成されたモーター駆動可変抵抗器１１０では、手動の場合、つまみ１１６を回動させると、連結した可変抵抗器１１４の操作軸１１４ａを同時に回動させるので、可変抵抗器１１４は所定の抵抗値に調整される。このとき、スプリング１２０の先端が円板体１１８の溝部１１７を空転してギヤ部１１３を回転させないので、モーター１１２への影響は生じない。
また、リモートコントロールの場合、外部からモーター制御回路１１１制御信号が入力され、その信号に対応して、モーター１１２が駆動する。モーター１１２のモーター軸１１２ａに取付けられた小ギヤ１１２ｂ、ギヤ部１１３を介して、モーター１１２の回転力が伝達されて、円板体１１８の操作軸１１８ａが回転する。それに合わせて、円板体１１８の溝部１１７に係合するスプリング１２０が回転し、スプリング１２０を取付けた可変抵抗器１１４の操作軸１１４ａを回転させる。このようにして、可変抵抗器１１４はモーター１１２によって所定の抵抗値に駆動調整される。
よって、可変抵抗器１１４を所定の抵抗値に調整することにより、例えば、音響機器における音量の大きさを調整可能とする。
【０００４】
【発明が解決しようとする課題】
ところで、近年の音響機器等においては、薄型化・小型化に対応して、その機器に使用される電子部品の収納スペースが少なくなる傾向にあり、その収納スペースに納まるように設計しなければならなく、電子部品の薄型化・小型化が要求されている。
【０００５】
上記モーター駆動可変抵抗器１１０では、つまみ１１６の奥側に順に可変抵抗器１１４、円板体１１８、ギヤ部１１３等のギヤ機構、モーター等がその大きさに相当する奥行きスペース（高さ寸法）を占有しており、そのまま音響機器に使用した場合、機器そのものが大きな厚みを持ったものになってしまうという問題が生ずる。
【０００６】
また、モーター駆動可変抵抗器１１０を組み立てる際に、モーター１１２を保持して、そのモーター軸１１２ａと操作軸１１８ａとの位置決めを正確に行なって、モーター１１２の駆動力を無駄無く可変抵抗器１１４側に伝達する必要がある。
そのため、治具などによって、モーター軸１１２ａと操作軸１１８ａとを正確に位置決めしておこなうため、手間がかかり、組み立て作業が難しいという問題が生じる。
本発明の目的は、リモートコントロール及び手動の両方によって操作可能であって、組み立て性が良く、さらに薄型化・小型化を図ったモーター駆動付回転型電子機器を提供することにある。
【０００７】
【課題を解決するための手段】
上記課題の少なくとも１つを解決するための第１の解決手段として、ケースと、ケースの開放側に取付けられた蓋体と、ケースに一端を軸支し、他端を蓋体に挿通して回転可能な操作軸と、ケースの開放端に、蓋体と対向して設けられた取付板とを備え、モーターを操作軸と並設するように蓋体の内側面に取付け、操作軸とモーターのモーター軸とを蓋体の外側に突出させて、モーター軸の回転と操作軸の回転とをギヤを介して互いに伝達させるとともに、取付板に操作軸の回転に合わせて出力値を調整させた回転型電子部品を位置決め固定し、回転型電子部品の回転体に操作軸の他端を軸支して取付けたものである。
【０００８】
また、第２の解決手段として、ケースの外壁部に切り込み部を設けて、切り込み部の縁部に蓋体の舌片を当接させるとともに、舌片を取付板で押え込んで保持したものである。
【０００９】
また、第３の解決手段として、軸受け部を有するケースと、ケースの開放側から、軸受け部に一端を嵌入した回転可能な操作軸と、モーター軸を備えたモーターを一体に取付し、中央部に孔部を有する蓋体と、ケースの開放側にこの蓋体を取付け、ケース内で、軸受け部と孔部間に操作軸を回動可能に軸支し、この操作軸にモーターを並設し、蓋体から外方に突き出たモーター軸に取付けられた星型ギヤと操作軸に取付けられた内歯ギヤとを噛み合い係合し、さらに、操作軸に回転型電子部品を結合してなり、モーターのモーター軸の回転に対応して、星型ギヤを介して回転する内歯ギヤにより操作軸を回転し、回転型電子部品を駆動するようにしたものである。
【００１１】
【発明の実施の形態】
本発明のモーター駆動付回転型電子機器の一実施形態であるモーター駆動可変抵抗器１０を、図１乃至図１２に基づいて説明する。
図１乃至図３、図５に示すように、合成樹脂製のケース１１は、前方に設けた前板部１１ｃと、この前板部１１ｃと一体に繋がり、後方に延びた筒状の外壁部１１ｆとからなり、外壁部１１ｆの開放端は、後方に向けた開口部１１ｅとなっている。
前板部１１ｃは、その中央に前方に向けて突出した円筒状の突出部１１ａと、この突出部１１ａに貫通形成した軸受け部１１ｂとを有する。また、前板部１１ｃの周縁部には、僅かに凹ませて矩形状に切り欠いた一対の切り溝１１ｄがそれぞれ形成されている。
外壁部１１ｆは、ケース１１の開口部１１ｅから前板部１１ｃ側に向けて、切り溝１１ｄに対向し、僅かに凹ませて矩形状に切り欠いた段部１１ｈと、これら段部１１ｈの開口部１１ｅ端をそれぞれ切り欠いた一対の切り込み部１１ｇとを設けている。そして、段部１１ｈと切り溝１１ｄとの間の壁部に、段部１１ｈから切り溝１１ｄにかけて、矩形の小さな孔部１１ｉが２個ずつ貫通形成されている。
ケース１１内には、図５に示すように、外壁部１１ｆの内壁面１１ｐと一体に形成された３つの係止部１１ｊが等間隔で形成されていて、その係止部１１ｊの開口部１１ｅ側の端部には、小さなピン状の係合凸部１１ｋがそれぞれ形成されている。
また、ケース１１の前板部１１ｃの内壁面には、後述するモーターを保持するように、僅かに凹ませた矩形状のくぼみ部１１ｌが設けられている。
【００１２】
図１に示すように、金属製の丸棒からなる操作軸であるシャフト１２は、その一端に断面が半月状をした第１のＤカット部１２ａと、その他端に外径寸法を小さくし、同じように断面が半月状をした第２のＤカット部１２ｂとを有する。
シャフト１２の略中央には、その外径寸法を僅かに大きくして、リング状に形成された環状部１２ｃが一体に設けられている。
シャフト１２の第２のＤカット部１２ｂの先端には、軸支部１２ｄが僅かに突出して形成されている。
【００１３】
多角形状をした剛性の高い金属板からなる内蓋１７は、内壁面と外壁面とからなり、外周縁には外方に延びた一対の矩形状をした舌片１７ａと、その中央に、貫通形成された孔部１７ｂと、この孔部１７ｂに面する周縁部を外壁面から一部切り起こし略直角に折り曲げ形成した突片部１７ｃとを設けている。
さらに、内蓋１７には、上記孔部１７ｂの他に、１つの取付孔１７ｄと、複数の嵌合孔１７ｅとが設けられている。そして、嵌合孔１７ｅにはケース１１の係合凸部１１ｋが嵌着されるようになっている。
【００１４】
ストッパ部材２０は、内蓋１７と同じ金属板からなり、中央部に半月状をした孔部２０ａを形成した円盤部２０ｂと、この円盤部２０ｂの一部から外方に突出した扇形状をした突部２０ｃとから構成されている。そして、このストッパ部材２０は、シャフト１２の第２のＤカット部１２ｂに嵌着して、シャフト１２の軸方向の抜け止めとなるとともに、軸中心の回転方向の動きを規制するようになっている。
【００１５】
モーター２１は、その外形の大きさが薄型、且つ小型化が図られたものとなっている。そして、その前面の中央部には金属製のモーター軸２１ａが設けられ、回動可能となっている。モーター軸２１ａの反対側には、図示しない電極部が設けられている。
【００１６】
リード部２２は、一端を折り曲げてＬ字状にした絶縁性の板材からなり、外側の面には帯状をした導出線２２ａが２本平行に張り付けられている。そして、リード部２２の折り曲げた側の導出線２２ａ先端をモーター２１の図示しない電極部に半田等によって、半田付け固定するとともに、他端側の導出線２２ａを外部から、又は導出線２２ａから外部へ信号を入出力するようにしている。
星型ギヤ１５は、樹脂製からなり、外側を歯車状にして、その中央に挿通孔１５ａを有している。この星型ギヤ１５をモーター軸２１ａの先端に嵌め込むようになっている。
【００１７】
内歯ギヤ２４は、合成樹脂製の略円筒形状からなり、平坦な平板部２４ａと、この平板部２４ａから前方に向けて立設した外側部２４ｂと、外側部２４ｂから前方に広がる開口部２４ｃと、中央に外側部２４ｂと対向するように円柱状に突出した内側部２４ｄと、内側部２４ｄの中央を半月状に貫通形成したＤ型孔部２４ｅとから構成されている。また、外側部２４ｂの内側壁には、歯車形状となった内歯部２４ｆが設けられていて、この内歯部２４ｆが上記星型ギヤ１５と噛み合うようになっている。
【００１８】
次に、図６及び図７に示すように、回転型電子部品である可変抵抗器２５は、合成樹脂からなる平板状の基板２６と、基板２６上に設けられた図示しない抵抗体及び集電体と、基板２６に一部が埋設された端子２７，２８と、基板２６の下面に、僅かに下方に突出形成された係止部２６ｂとを有している。基板２６の中央には孔２６ａが貫通形成されている。
【００１９】
可変抵抗器２５の合成樹脂からなるカバー２９は、平面壁２９ａと、平面壁２９ａの周囲から下方に延びる側壁２９ｂと、側壁２９ｂの下端から下方に延びる複数個の係止部２９ｃと、平面壁２９ａの中央部に設けられた孔２９ｄとを有する。
カバー２９は、抵抗体と集電体とを覆うように基板２６の上面に被せられ、係止部２９ｃを基板２６の側縁に掛け止めして、基板２６に取付けられている。
【００２０】
また、合成樹脂からなる筒状の回転体３０は、Ｄ字形状の孔３０ａを有し、この回転体３０には、接触部３１ａ，３１ｂを有する摺動子３１が埋設されている。
回転体３０は、基板２６の孔２６ａとカバー２９の孔２９ｄとに挿入、支持されて、基板２６とカバー２９に回転可能に取付けられている。
可変抵抗器２５は、回転体３０を回転することにより、摺動子３１の接触部３１ａ，３１ｂが集電体と抵抗体上を摺動して、抵抗値を調整するようになっている。
【００２１】
次に、図１に示すように、１枚の金属薄板からなる外蓋３２は、略矩形状をした基部３２ａと、基部３２ａの両端から略直角に折り曲げられた一対の脚部３２ｂとからなる。
基部３２ａには、その中央部に貫通形成された軸受け孔３２ｃと、この軸受け孔３２ｃの周辺に形成された複数個の取付孔３２ｄと、矩形状に切り欠き形成された窓部３２ｅとが設けられている。
各脚部３２ｂは、その先端に突出した２つの係合片３２ｆをそれぞれ設けていて、脚部３２ｂの中央部には矩形に切り欠いた矩形孔３２ｇがそれぞれ設けられている。
そして、図２及び図３に示すように、外蓋３２をケース１１に取付けたとき、矩形孔３２ｇに面した縁の一部と内蓋１７の舌片１７ａとが当接するとともに、各孔部１１ｉにこれら係合片３２ｆが嵌入され、その先端が折り曲げられている。
【００２２】
次に、モーター駆動可変抵抗器１０における、内蓋１７へのモーター２１の組み込みを図１と図８に基づいて説明する。
先ず、モーター２１にリード部２２を取付けるには、リード部２２の導出線２２ａの一端をモーター２１の図示しない電極部に半田付けして取付け固定する。次に、リード部２２を一体に取付けたモーター２１のモーター軸２１ａを内蓋１７の内壁面側の取付孔１７ｄに挿通して、ネジなどでモーター２１の筐体を内蓋１７に取付け固定する。そして、モーター軸２１ａの先端に星型ギヤ１５を嵌め込む。
このようにして、図８に示す内蓋１７とモーター２１とを一体化した半製品の組み込みが完成する。
【００２３】
次に、本発明のモーター駆動可変抵抗器１０の組み立てについて、図面に基づいて説明する。
図１に示すように、ケース１１の軸受け部１１ｂに後方からシャフト１２の第１のＤカット部１２ａを差し込み、前板部１１ｃの内壁面にシャフト１２の環状部１２ｃを突き当てる。
次に、図８に示した半製品である、モーター２１を一体に取付けた内蓋１７を準備し、図１０Ａに示すように、モーター２１を配置した内蓋１７の内壁面部分がケース１１の開口部１１ｅ内となるように、ケース１１に後方（図中の右側）から内蓋１７を差し込むとともに、シャフト１２の第２のＤカット部１２ｂを内蓋１７の孔部１７ｂに遊嵌して挿通させる。
そして、ケース１１の各係止部１１ｊに内蓋１７の内壁面を押し当てて、係合凸部１１ｋに内蓋１７の嵌合孔１７ｅをそれぞれ嵌着させて、ケース１１の段部１１ｈの切り込み部１１ｇに内蓋１７の舌片１７ａを当接させる。
このとき、ケース１１のくぼみ部１１ｌに、モーター２１が当接し、前板部１１ｃと内蓋１７とでモーター２１を挟み込み、ケース１１の内壁面１１ｐにはリード部２２を這わせる。
次に、シャフト１２の第２のＤカット部１２ｂにストッパ部材２０の孔部２０ａを嵌め込む。
このように、図１１に示すような後方側から見たモーター駆動可変抵抗器１０（内歯ギヤ２４、可変抵抗器２５、外蓋３２を外した状態）が組み立てられる。
【００２４】
次に、図１に示すように、ケース１１内でシャフト１２の第２のＤカット部１２ｂに内歯ギヤ２４のＤ型孔部２４ｅを後方から嵌入する。内歯ギヤ２４の内歯部２４ｆに星型ギヤ１５が噛み合う。
このように、図１２に示すような後方側から見たモーター駆動可変抵抗器１０（可変抵抗器２５、外蓋３２を外した状態）が組み立てられる。
次に、図９に示すように、シャフト１２の第２のＤカット部１２ｂに内歯ギヤ２４を嵌め込んだ後、第２のＤカット部１２ｂと可変抵抗器２５の回転体３０の孔３０ａとが嵌合するように、シャフト１２に可変抵抗器２５を挿入する。
そして、内歯ギヤ２４の平板部２４ａの表面に可変抵抗器２５の基部２９ａの一部を摺接させる。
【００２５】
次に、図１０Ｂに示すように、リード部２２の先端側の導出線２２ａと、可変抵抗器２５の端子部２７，２８とを対向配置させて、外蓋３２をケース１１の開口部１１ｅを覆うように被せ、脚部３２ｂ間を僅かに広げて、窓部３２ｅからこれら端子部２７，２８を突出させ、軸受け孔３２ｃにシャフト１２の軸支部１２ｄを遊嵌し、取付孔３２ｄに可変抵抗器２５の係止部２６ｂをガタ無く嵌め込む。
このとき、内蓋１７の各舌片１７ａはそれぞれ外蓋３２の脚部３２ｂの矩形孔３２ｇに面した縁部に当接する。
また、図１０Ｃに示すように、各脚部３２ｂの係合片３２ｆをケース１１の孔部１１ｉにそれぞれ挿通して、その後、ケース１１の切り溝１１ｄに向けて折り曲げ、外蓋３２をケース１１に確実に取り付ける。
このようにして、ケース１１内で軸受け部１１ｂと回転体３０の孔３０ａの２点間でシャフト１２は回動可能に軸支される。
よって、このようにして、モーター駆動可変抵抗器１０が完成される。
このように、本発明のモーター駆動可変抵抗器１０では、一方向から部品を組み込むことができ、作業効率が大変良いものとなる。
【００２６】
次に、このように構成され、組み立てられたモーター駆動可変抵抗器１０の動作を、図面にに基づいて説明する。
先ず、手動で操作する場合、図４に示すように、ケース１１の軸受け部１１ｂから突出したシャフト１２の第１のＤカット部１２ａに図示しないつまみを取付け固定して、そのつまみを回転させると、そのシャフト１２の第２のＤカット部１２ｂに嵌合したストッパ部材２０及び内歯ギヤ２４、可変抵抗器２５の回転体３０も同時に回転する。
図１１に示すように、内歯ギヤ２４がシャフト１２を中心に回転すると、内歯部２４ｆと噛み合う星型ギヤ１５も回転し、モーター２１のモーター軸２１ａを回転させる。また、シャフト１２に嵌合する可変抵抗器２５の回転体３０も同じ回転量だけ回転すると、この回転により摺動子３１の接触部３１ａ，３１ｂが集電体と抵抗体上を摺動して、抵抗値を可変させ、可変抵抗器２５の端子２７，２８から所定の抵抗値の出力が得られる。
ここで、可変抵抗器２５は、その基部２９ａの係止部２６ｂを外蓋３２の取付孔３２ｄ内に組み込んでいるので、可変抵抗器２５の回転体３０のみが回転する。
シャフト１２を回転し続けると、図１２に示すように、ストッパ部材２０の突部２０ｃが内蓋１７の突起部１７ｃに突き当たり、それ以上の回転動作を阻止する。したがって、回転の初期では可変抵抗器２５の端子２７，２８間の抵抗値を小さくして、回転の後半ではその抵抗値を大きくする、またはその逆となるように設定してある。
【００２７】
次に、リモートコントロールで遠隔操作する場合、外部に接続されたリード部２２の導出線２２ａの一端からオン・オフの信号を入力させると、その信号に応じてモーター２１が駆動する。
モーター２１の駆動により、モーター軸２１ａが回転して、このモーター軸２１ａに嵌着した星型ギヤ１５を回転させ、この星型ギヤ１５と噛み合う内歯ギヤ２４の内歯部２４ｆもシャフト１２を軸中心に回転する。よって、シャフト１２の先端に取付け固定したつまみを回転させて、つまみに表示した、例えば矢印が所定の目盛りの位置を示すようになる。また、シャフト１２の回転により、可変抵抗器２５の回転体３０も所定の回転量だけ回転されると、この回転により摺動子３１の接触部３１ａ，３１ｂが集電体と抵抗体上を摺動して、抵抗値の可変を行ない、可変抵抗器２５の端子２７，２８から所定の抵抗値の出力が得られる。シャフト１２の回転が内蓋１７の突起部１７ｃによって、阻止されることは前述の通りである。
そして、手動、リモートコントロール等に係わらず、つまみを回転することにより、可変抵抗器２５の抵抗値に応じた、例えば、音響機器の音量の大きさを調整する事ができる。
なお、本発明の実施形態では、可変抵抗器２５を例にして説明したが、上記構成に限定されず、例えば、エンコーダなどの他の回転検出素子に、さらにはバリアブルコンデンサ等の回転体を備えた回転型電子部品全てに適用できるものである。
【００２８】
本発明の実施形態では、シャフト１２は軸受け部１１ｂと可変抵抗器２５の回転体３０との間で軸支する構成であり、距離を離して２点支持できるので、シャフトガタを抑える事ができ、また３ヶ所以上の部分で軸支されないので、寸法のバラツキがあってもトルクムラ等は生ぜず、さらにはシャフト１２と回転軸３０との間にはガタがないので、回転方向等による出力のバラツキもない。なお、シャフト１２は軸受け部１１ｂと孔部１７ｂあるいは軸受け孔３２ｃ間で軸支してもよい。
【００２９】
【発明の効果】
以上のように本発明のモーター駆動付回転型電子機器は、ケースと、このケースの開放側に取付けられた蓋体と、ケースに一端を軸支し、他端を蓋体に挿通して回転可能な操作軸とを備え、モーターを操作軸と並設するように蓋体の内側面に取付け、操作軸とモーターのモーター軸を蓋体の外側に突出させて、モーター軸の回転と操作軸の回転とをギヤを介して互いに伝達させるとともに、操作軸には該操作軸の回転に合わせて出力値を調整させた回転型電子部品を取付けてなることにより、ケース内の空間にこれら操作軸とモーターとがコンパクトに収納されるので、ケースの外形寸法を小さく抑える事ができ、薄型化・小型化を図ることができる。特に、ケースの奥行きの薄型化を達成することができる。また、モーターは内蓋に予め取付け固定されていて、ケースの開放側から、部材を一方向から組み込む構成となっているので、組立てを容易に行なう事ができる。
【００３０】
また、ケースの開放端に、蓋体と対向して取付板を設けるとともに、この取付板に回転型電子部品を位置決め固定し、回転型電子部品の回転体に操作軸の他端を軸支したことにより、操作軸を確実に軸支することができるとともに、回転型電子部品の出力値を回転角度に応じて精度良く出力させることができる。
【００３１】
また、ケースの外壁部に切り込み部を設けて、切り込み部の縁部に蓋体の舌片を当接させるとともに、舌片を取付板で押え込んで保持したことにより、蓋体をケースに確実に取付け固定することができるとともに、モーターを同時にケース内で確実に保持させることができる。
【００３２】
また、軸受け部を有するケースと、このケースの解放側から、軸受け部に一端を嵌入した回転可能な操作軸と、モーター軸を備えたモーターを一体に取付し、中央部に孔部を有する蓋体と、ケースの開放側にこの蓋体を取付け、ケース内で、軸受け部と孔部間に操作軸を回動可能に軸支し、この操作軸にモーターを並設し、蓋体から外方に突き出たモーター軸に取付けられた星型ギヤと操作軸に取付けられた内歯ギヤとを噛み合い係合し、さらに、操作軸に回転型電子部品を結合してなり、モーターのモーター軸の回転に対応して、星型ギヤを介して回転する内歯ギヤにより操作軸を回転し、回転型電子部品を駆動するようにしたことにより、ケースに一方向から構成部材を順次組み込みができ、組み立て性を向上させることができる。また、内歯ギヤを採用し、限られたケースのスペースでギヤ比をかせぐことができ、薄型化・小型化を図ることができる。
【図面の簡単な説明】
【図１】本発明の一実施形態であるモーター駆動可変抵抗器を示す分解斜視図である。
【図２】該モーター駆動可変抵抗器の平面図である。
【図３】該モーター駆動可変抵抗器の正面図である。
【図４】該モーター駆動可変抵抗器の断面図である。
【図５】該モーター駆動可変抵抗器におけるケースの背面図である。
【図６】該モーター駆動可変抵抗器における可変抵抗器の斜視図である。
【図７】図６における可変抵抗器の断面図である。
【図８】該モーター駆動可変抵抗器において、モーターの組み込みを説明するための説明図である。
【図９】該モーター駆動可変抵抗器において、内歯ギヤと可変抵抗器の組み込みを説明するための説明図である。
【図１０】図１０は、該モーター駆動可変抵抗器における組み立てを説明するためのものであり、図１０Ａは、ケースに内蓋を組み込むことを説明するための説明図、図１０Ｂは、内蓋を取付けたケースに外蓋を組み込むことを説明するための説明図、図１０Ｃは、ケースへの組み込みを終了した状態を示す説明図である。
【図１１】該モーター駆動可変抵抗器において、シャフトの回転動作を説明するための動作説明図である。
【図１２】該モーター駆動可変抵抗器において、内歯ギヤの回転動作を説明するための動作説明図である。
【図１３】従来のモーター駆動可変抵抗器を示す概略説明図である。
【符号の説明】
１１  ケース
１１ｂ  軸受け部
１１ｆ  外壁部
１１ｇ  切り込み部
１２  シャフト（操作軸）
１５  星型ギヤ（ギヤ）
１７  内蓋（蓋体）
１７ａ  舌片
１７ｂ  孔部
２１  モーター
２１ａ  モーター軸
２４  内歯ギヤ（ギヤ）
２５  可変抵抗器（回転型電子部品）
３２  外蓋（取付板）
【図１】
0003621603.tif 000002
【図２】
0003621603.tif 000003
【図３】
0003621603.tif 000004
【図４】
0003621603.tif 000005
【図５】
0003621603.tif 000006
【図６】
0003621603.tif 000007
【図７】
0003621603.tif 000008
【図８】
0003621603.tif 000009
【図９】
0003621603.tif 000010
【図１０】
0003621603.tif 000011
【図１１】
0003621603.tif 000012
【図１２】
0003621603.tif 000013
【図１３】
0003621603.tif 000014